(57)【特許請求の範囲】
【請求項１】
表表紙と裏表紙とを背表紙を介して厚紙素材で一連に形成すると共に、これら表表紙と裏表紙との間に複数枚の紙葉を設けてブック式のケースを形成し、少なくとも一方の表紙は、その内側となる面にディスク収納部が形成された中間部材と、内側部材とを積層して形成し、該内側部材には、前記中間部材のディスク収納部に収納されたディスクを取り出す開口部を形成するためのミシン目及び／又は折り目が設けられているディスク収納ケースにおいて、
前記開口部を塞ぐことができる蓋部を開くことにより、その蓋部の一部が収納されているディスクに係合して持ち上げるようにしたことを特徴とするディスク収納ケース。
【請求項２】
紙葉は、収納されているディスクの内容説明や歌詞或いは装飾などの情報が表示されると共に、メモ書きができる欄を設けてあることを特徴とする請求項１に記載のディスク収納ケース。
【発明の詳細な説明】
【０００１】
【発明の属する技術分野】
本発明は、ディスク収納ケースに関するものであり、更に詳しくは、ＣＤ（コンパクトディスク）、ＣＤ−ＲＯＭなどの情報記録媒体を収納するディスク収納ケースに関するものである。
【０００２】
【従来の技術】
従来、例えば図１２に示すように、ＣＤの収納ケース１は、円形状のディスク収納部２を有するケース部３と、このケース部３の上下両端部４、４に形成した孔に係止ピン５を差し込んで回動自在に取り付けた蓋部６とから構成されており、全体的に合成樹脂材によって形成されている。
【０００３】
そして、前記ディスク収納部２の略中央位置には、中心側にやや弾性を有する凸部７が設けられており、この凸部７にＣＤの中央部に形成されている孔を嵌め込むことによって、ディスク収納部２にＣＤを保持するのである。
【０００４】
また、蓋部６の内側位置における上下両壁部８、８には、複数の舌部９、９が設けられており、この舌部９、９と蓋面６ａとの隙間にＣＤの内容などが記載された冊子を挟み込んで取出し自在に収納できるようになっている。
【０００５】
【発明が解決しようとする課題】
この従来例のＣＤの収納ケース１は、合成樹脂材により形成されていることから、収納ケース１自体にＣＤの表題やデザイン或いはＣＤに録音されている歌詞などの種々な情報を直接印刷することが困難であるという欠点を有している。
【０００６】
また、前述したように、蓋面６ａと舌部９、９との隙間に冊子を挟み込んで収納することができるものの、収納面積などの関係上、冊子に記載できる情報量は限定されたものとなってしまうという欠点もある。
【０００７】
そして、冊子は収納ケース１と別体であるために、取り出した冊子を紛失してしまうおそれがあるという不都合もある。
【０００８】
更に、合成樹脂材は、一般に紙類とは別個に不燃ゴミとして分別廃棄されるものであるが、不燃ゴミの増加が懸念されている昨今、合成樹脂材の収納ケース１を廃棄した場合には、所謂ゴミ問題、ひいては環境問題の原因になるという問題点もあった。
【０００９】
従って、従来例におけるＣＤの収納ケース１においては、収納ケース自体にＣＤの表題やデザインなどを印刷可能にすることと、歌詞などの情報を表示する機能を拡大すると共に表示された情報を収納ケースと一体的にしておくこと、及び廃棄したときに焼却処分が容易であり環境問題を生じさせないことに解決しなければならない課題を有している。
【００１０】
【課題を解決するための手段】
前記従来例の課題を解決する具体的手段として本発明は、表表紙と裏表紙とを背表紙を介して厚紙素材で一連に形成すると共に、これら表表紙と裏表紙との間に複数枚の紙葉を設けてブック式のケースを形成し、少なくとも一方の表紙は、その内側となる面にディスク収納部が形成された中間部材と、内側部材とを積層して形成し、該内側部材には、前記中間部材のディスク収納部に収納されたディスクを取り出す開口部を形成するためのミシン目及び／又は折り目が設けられているディスク収納ケースにおいて、前記開口部を塞ぐことができる蓋部を開くことにより、その蓋部の一部が収納されているディスクに係合して持ち上げるようにしたことを特徴とするディスク収納ケースを提供するものである。
【００１１】
また、前記紙葉は、収納されているディスクの内容説明や歌詞或いは装飾などの情報が表示されると共に、メモ書きができる欄を設けてある構成としたものである。
【００１２】
本発明のディスク収納ケースにおいては、厚紙素材で形成されているので、ＣＤの表題やデザインなどの種々な情報を直接印刷することが可能であり、また、紙葉にＣＤの内容を説明したり歌詞や装飾などを表示することができるので、種々の情報を表示する機能が拡大される。
更に、紙製素材で形成されたディスク収納ケースは、可燃ゴミとして廃棄することができるので、焼却処分が容易であり環境問題を生じさせることがない。
【００１３】
【発明の実施の形態】
次に、本発明の実施の形態について図面を参照しながら説明する。まず、図１に示した第１実施例において、符号１１はディスク収納ケースを示し、このディスク収納ケース１１は、表表紙１２と、裏表紙１３と、背表紙１４とから構成されており、これらが厚紙素材で一連に形成されていると共に、表表紙１２と裏表紙１３との間には複数枚の紙葉１５が設けられてブック式のケースを形成している。
【００１４】
表表紙１２は、略正方形状に形成されており、その一端側がヒンジ部１６を介して背表紙１４と一連に形成され、また、背表紙１４は、ヒンジ部１７を介して裏表紙１３と一連に形成されている。即ち、表表紙１２と裏表紙１３とは、ヒンジ部１６、１７を介して背表紙１４に各々折り曲がり自在に一連に形成されているのである。
【００１５】
また、裏表紙１３（又は表表紙１２）には、図３に示すように、その内側となる面にディスク収納部１８が形成された中間部材１９と、略正方形状の内側部材２０とを積層して接着している。即ち、ディスク収納部１８の中にＣＤ２１が収納された状態で裏表紙１３と中間部材１９と内側部材２０とを積層しているのである（図２参照）。
この場合のディスク収納部１８は、図示したように略円形であってもよく、また多角形状であってもよい。要するにＣＤ２１等の被収納物品が収納できるスペースが形成されていればよいのである。
【００１６】
そして、内側部材２０には、ディスク収納部１８内に収納されているＣＤ２１を取り出す開口部２２を形成するためのミシン目及び折り目が設けられている。即ち、内側部材２０は、図４に示すように、ミシン目２３、２３ａ、２３ｂが設けられており、このミシン目２３、２３ａ、２３ｂに囲まれた領域が開口部２２を形成する領域であると同時に、該開口部２２を常時開放状態にしないためにそのミシン目で切り離した部分が蓋部２４を形成するのである。
【００１７】
また、ミシン目２３の略中央位置には、切り取って指差し入れ用の孔を形成するための半円状のミシン目２５が形成されており、このミシン目２５の囲繞する部分には、切離部２６が形成されている。
【００１８】
前記ミシン目２３ｂ、２３ｂの一端側には、折り目２７、２７が形成されていると共に、この折り目２７、２７にやや離れた平行位置には、折り目２８、２８が形成されている。
【００１９】
また、折り目２７、２７の端部に連接してミシン目２９が形成されており、このミシン目２９は、後述するように、ＣＤ２１の底面に係合して持ち上げるための持上部３０を形成するためのものである。
【００２０】
紙葉１５は、表表紙１２及び裏表紙１３よりもやや小さめの略正方形状に形成されており、複数枚の紙葉１５を重ね合わせて背表紙１４の内側に逢着されている。この紙葉は、ＣＤの内容説明や歌詞或いは装飾などの情報が表示されると共に、メモ書きができる欄が設けてある。
【００２１】
次に、ディスク収納部１８内に収納されているＣＤ２１の取り出し方法について説明する。まず、裏表紙１３を開いて内側部材２０のミシン目２３、２３ａ、２３ｂを指で押圧して切断し、ミシン目２５を切断して切離部２６を切り離し、更に、ミシン目２９も切断する。
【００２２】
そして、蓋部２４を矢印方向に開くと共に折り目２７、２８を折り曲げる。蓋部２４を矢印方向に傾けるにつれて持上部３０が折り目２７、２８を中心にしてＣＤ２１方向に移動し、更に持上部３０がＣＤ２１の底面に係合し、蓋部２４の傾きと共に持上部３０がＣＤ２１の端部を持ち上げて、ＣＤ２１の取り出しを容易にするのである（図５参照）。
【００２３】
次に、図６及び図７に第２実施例を示す。この第２実施例において、前記第１実施例と同一部分には同一符号を付してその詳細は省略する。内側部材３１には、ミシン目３２、３２が形成されていると共に、このミシン目３２、３２の一端側間に渡って折り目３３が形成されている。
ミシン目３２、３２と折り目３３に囲まれた領域が開口部３４を形成する領域であると同時に該開口部３４を施蓋する蓋部３５を形成するのである。
【００２４】
また、ミシン目３２、３２の他端側には、切り取って指差し入れ用の開口部を形成するためのミシン目３６が形成されており、このミシン目３６、３２、３２の囲繞する部分には、切離部３７が設けられている。
【００２５】
この第２実施例のディスク収納部１８内に収納されているＣＤ２１を取り出す場合は、まず、内側部材３１のミシン目３２、３２を指で押圧して切断し、ミシン目３６を切断して切離部３７を切り離す。
更に、折り目３３を折り曲げて蓋部３５を矢印方向に傾けることにより、ディスク収納部１８内に収納されているＣＤ２１が表れるので、ＣＤ２１を引き出せばよい。
【００２６】
次に、図８及び図９に第３実施例を示す。この第３実施例において、前記第１実施例と同一部分には同一符号を付してその詳細は省略する。内側部材３８には、ミシン目３９、４０、４０形成されており、このミシン目３９、４０、４０に囲まれた領域が開口部４１を形成する領域であると同時に切離部４２を形成するのである。
【００２７】
また、ミシン目４０、４０の一端側には、切り取って指を挿入するための開口部を形成するためのミシン目４３が形成されており、このミシン目４３、４０、４０の囲む部分には、切離部４４が設けられている。
【００２８】
この第３実施例のディスク収納部１８内に収納されているＣＤ２１を取り出す場合は、まず、内側部材３８のミシン目３９、４０、４０を指で押圧して切断し、切離部４２を切り離すことにより、ディスク収納部１８内に収納されているＣＤ２１が表れるので、ＣＤ２１を引き出せばよい。
【００２９】
次に、図１０及び図１１に第４実施例を示す。この第４実施例において、前記第１実施例と同一部分には同一符号を付してその詳細は省略する。内側部材４５には、ミシン目４６、４７、４８が形成されていると共に、このミシン目４６、４８の一端側間に渡って折り目４９が形成されている。
ミシン目４６、４７、４８と折り目４９に囲まれた領域が開口部５０を形成する領域であると同時に該開口部５０を施蓋する蓋部５１を形成するのである。
【００３０】
また、ミシン目４６、４７の他端側には、切り取って指差し入れ用の開口部を形成するためのミシン目５２と切れ目５３とが形成されており、このミシン目５２と切れ目５３とが囲繞する部分には、切離部５４が設けられている。
更に、蓋部５１の略中央位置には、窓部５５が形成されており、この窓部５５から内部に収納されているＣＤ２１を確認することができるようになっている。
【００３１】
この第４実施例のディスク収納部１８内に収納されているＣＤ２１を取り出す場合は、まず、内側部材４５のミシン目４６、４７、４８を指で押圧して切断し、ミシン目５２を切断して切離部５４を切り離す。
更に、折り目４９を折り曲げて蓋部５１を矢印方向に傾けることにより、ディスク収納部１８内に収納されているＣＤ２１が表れるので、ＣＤ２１を引き出せばよい。
【００３２】
以上のように、本発明に係るディスク収納ケース１１は、厚紙素材で形成されているので、ＣＤ２１の表題やデザインなどの種々な情報を直接印刷することが可能であり、また、紙葉１５にＣＤ２１の歌詞や装飾などを表示することができるのである。
尚、以上の実施例においては、ＣＤを収納する場合について示したが、必ずしもこれに限定されるものではなく、ＣＤ−ＲＯＭやＬＤ（レーザーディスク）等の全ての情報記録媒体を収納できることは勿論である。
【００３３】
【発明の効果】
以上説明したように本発明に係るディスク収納ケースは、表表紙と裏表紙とを背表紙を介して厚紙素材で一連に形成すると共に、これら表表紙と裏表紙との間に複数枚の紙葉を設けてブック式のケースを形成し、少なくとも一方の表紙は、その内側となる面にディスク収納部が形成された中間部材と、内側部材とを積層して形成し、該内側部材には、前記中間部材のディスク収納部に収納されたディスクを取り出す開口部を形成するためのミシン目及び／又は折り目が設けられているディスク収納ケースにおいて、前記開口部を塞ぐことができる蓋部を開くことにより、その蓋部の一部が収納されているディスクに係合して持ち上げるようにしたことによって、ディスクの取り出しが容易であり便利である。また、収納ケースは厚紙素材で形成されているので、ＣＤの表題やデザイン或いはＣＤに録音されている歌詞などの種々な情報を直接印刷することが可能であるという種々の優れた効果を奏する。
【００３４】
また、紙製素材で形成されたディスク収納ケースは、可燃ゴミとして廃棄することができるので、焼却処分が容易であり環境問題を生じさせないという優れた効果を奏する。
【００３６】
更に、紙葉は、収納されているディスクの内容説明や歌詞或いは装飾などの情報が表示されると共に、メモ書きができる欄を設けてあることによって、様々な情報を表示する機能が拡大される。
また、表示された情報が収納ケースと一体的であるので、従来例のように情報が表示された冊子を紛失することがないという種々の優れた効果を奏する。
【図面の簡単な説明】
【図１】本発明の第１実施例に係るディスク収納ケースの斜視図である。
【図２】図１のＡ−Ａ線断面図である。
【図３】表紙を分離して示した斜視図である。
【図４】表紙の内側を示す平面図である。
【図５】表紙の蓋部を開いた状態を示す斜視図である。
【図６】本発明の第２実施例に係るディスク収納ケースの表紙の内側を示す平面図である。
【図７】本発明の第２実施例に係るディスク収納ケースの表紙の蓋部を開いた状態を示す斜視図である。
【図８】本発明の第３実施例に係るディスク収納ケースの表紙の内側を示す平面図である。
【図９】本発明の第３実施例に係るディスク収納ケースの表紙の蓋部を開いた状態を示す斜視図である。
【図１０】本発明の第４実施例に係るディスク収納ケースの表紙の内側を示す平面図である。
【図１１】本発明の第４実施例に係るディスク収納ケースの表紙の蓋部を開いた状態を示す斜視図である。
【図１２】従来例に係るＣＤの収納ケースの斜視図である。
【符号の説明】
１    ＣＤの収納ケース
２    ディスク収納部
３    ケース部
４    上下両端部
５    係止ピン
６    蓋部
６ａ  蓋面
７    凸部
８    上下両壁部
９    舌部
１１  ディスク収納ケース
１２  表表紙
１３  裏表紙
１４  背表紙
１５  紙葉
１６  ヒンジ部
１７  ヒンジ部
１８  ディスク収納部
１９  中間部材
２０  内側部材
２１  ＣＤ
２２  開口部
２３、ミシン目
２３ａミシン目
２３ｂミシン目
２４  蓋部
２５  ミシン目
２６  切離部
２７  折り目
２８  折り目
２９  ミシン目
３０  持上部
３１  内側部材
３２  ミシン目
３３  折り目
３４  開口部
３５  蓋部
３６  ミシン目
３７  切離部
３８  内側部材
３９  ミシン目
４０  ミシン目
４１  開口部
４２  切離部
４３  ミシン目
４４  切離部
４５  内側部材
４６  ミシン目
４７  ミシン目
４８  ミシン目
４９  折り目
５０  開口部
５１  蓋部
５２  ミシン目
５３  切れ目
５４  切離部
５５  窓部
【図１】
0003561641.tif 000002
【図２】
0003561641.tif 000003
【図３】
0003561641.tif 000004
【図４】
0003561641.tif 000005
【図５】
0003561641.tif 000006
【図６】
0003561641.tif 000007
【図７】
0003561641.tif 000008
【図８】
0003561641.tif 000009
【図９】
0003561641.tif 000010
【図１０】
0003561641.tif 000011
【図１１】
0003561641.tif 000012
【図１２】
0003561641.tif 000013